【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
無線ローカルエリアネットワークにおいて偽造アクセスポイントを検出する方法であって、
該無線ローカルエリアネットワーク内の検出器においてビーコンフレームを受信することであって、該ビーコンフレームは、１つ以上のアクセスポイントによって該無線ローカルエリアネットワークを介して送信される、ことと、
該受信したビーコンフレームを該検出器において解析することにより、該無線ローカルエリアネットワークにおける偽造アクセスポイントを検出することと
を包含する、方法。
【請求項２】
前記解析することは、
前記受信したビーコンフレームから規定のビーコンフレームレートを取得することと、
測定されたビーコンフレームレートを決定することと、
該測定されたビーコンフレームレートと該規定のビーコンフレームレートとを比較することと
を包含する、請求項１に記載の方法。
【請求項３】
前記測定されたビーコンフレームレートと前記規定のビーコンフレームレートとが一致しない場合に偽造アクセスポイントが検出される、請求項２に記載の方法。
【請求項４】
前記受信したビーコンフレームから規定のビーコンフレームレートを取得することは、
ビーコンフレームを検査することにより、該ビーコンフレームに規定されたビーコンフレームレートを取得することを包含する、請求項２または３に記載の方法。
【請求項５】
前記測定されたビーコンフレームレートを決定することは、
ある期間中に受信したビーコンフレームの数をカウントすることを包含する、請求項２、３または４に記載の方法。
【請求項６】
前記解析することは、
受信したビーコンフレームからシーケンス番号を取得することと、
該取得したシーケンス番号と予め受信したビーコンフレームのシーケンス番号とを比較することと
を包含する、請求項１〜５のいずれか一項に記載の方法。
【請求項７】
前記取得したシーケンス番号と前記予め受信したビーコンフレームのシーケンス番号とが一致しない場合に偽造アクセスポイントが検出される、請求項６に記載の方法。
【請求項８】
前記取得したシーケンス番号と前記予め受信したビーコンフレームのシーケンス番号とが連続でない場合に偽造アクセスポイントが検出される、請求項７に記載の方法。
【請求項９】
前記取得したシーケンス番号と前記予め受信したビーコンフレームのシーケンス番号とが一致した場合に、該予め受信したビーコンフレームのシーケンス番号を該取得したシーケンス番号に置き換えることを包含する、請求項６〜８のいずれか一項に記載の方法。
【請求項１０】
前記受信したビーコンフレームは、媒体アクセス制御（ＭＡＣ）アドレスを含み、
前記予め受信したビーコンフレームのシーケンス番号は、該予め受信したビーコンフレームのＭＡＣアドレスに関連付けられており、
前記解析することは、
該受信したビーコンフレームの送信側ＭＡＣアドレスを取得することと、
該取得したＭＡＣアドレスが該予め受信したビーコンフレームのシーケンス番号に関連付けられたＭＡＣアドレスと同一である場合に、該受信したビーコンフレームのシーケンス番号と該予め受信したビーコンフレームのシーケンス番号とを比較することと
を包含する、請求項６〜９のいずれか一項に記載の方法。
【請求項１１】
前記解析することは、
第１の受信したビーコンフレームの送信側ＭＡＣアドレスを決定することと、
該第１の受信したビーコンフレームを送信するために用いられるチャネル番号を決定することと、
第２の受信したビーコンフレームの送信側ＭＡＣアドレスを決定することと、
該第２の受信したビーコンフレームを送信するために用いられるチャネル番号を決定することと、
該第１および第２の受信したビーコンフレームの送信側ＭＡＣアドレスが同一である場合に、該第１および第２のビーコンフレームを送信するために用いられる該決定されたチャネル番号を比較することと
を包含する、請求項１〜１０のいずれか一項に記載の方法。
【請求項１２】
前記決定されたチャネル番号が異なる場合に偽造アクセスポイントが検出される、請求項１１に記載の方法。
【請求項１３】
前記ビーコンフレームは、８０２．１１規格を用いて送信され、
前記決定されたチャンネル番号が異なり、かつ、該チャンネル番号が同一の８０２．１１規格内にある場合に、偽造アクセスポイントが検出される、請求項１１または１２に記載の方法。
【請求項１４】
前記８０２．１１規格は、８０２．１１ａ規格、または、８０２．１１ｂ規格である、請求項１３に記載の方法。
【請求項１５】
前記ビーコンフレームは、開放型システム間相互接続（ＯＳＩ）モデルのネットワーク層より下位において受信される、請求項１〜１４のいずれか一項に記載の方法。
【請求項１６】
前記ビーコンフレームは、ＩＥＥＥ８０２．１１標準に従って送受信される、請求項１〜１５のいずれか一項に記載の方法。
【請求項１７】
前記検出器は、前記無線ローカルエリアネットワークにおけるステーションである、請求項１〜１６のいずれか一項に記載の方法。
【請求項１８】
無線ローカルエリアネットワークにおいて偽造アクセスポイントを検出する装置であって、
該装置は、該無線ローカルエリアネットワークにおける検出器を含み、
該検出器は、該無線ローカルエリアネットワークを介して送信されたビーコンフレームを受信し、該受信したビーコンフレームを解析することにより、該無線ローカルエリアネットワークにおける偽造アクセスポイントを検出するように構成されている、装置。
【請求項１９】
前記検出器は、前記受信したビーコンフレームを検査することにより、規定のビーコンフレームを取得し、ビーコンフレームレートを測定し、該測定したビーコンフレームレートと該規定のビーコンフレームレートと比較するように構成されている、請求項１８に記載の装置。
【請求項２０】
前記検出器は、ある期間中に受信したビーコンフレームの数をカウントすることにより、ビーコンフレームレートを測定するように構成されている、請求項１９に記載の装置。
【請求項２１】
前記装置は、前記測定したビーコンフレームレートと前記規定のビーコンフレームレートとが一致しない場合に偽造アクセスポイントを検出するように構成されている、請求項１９または２０に記載の装置。
【請求項２２】
前記検出器は、前記受信したビーコンフレームを検査することにより、該受信したビーコンフレームのシーケンス番号を取得し、該取得したシーケンス番号と予め受信したビーコンフレームのシーケンス番号とを比較するように構成されている、請求項１８〜２１のいずれか一項に記載の装置。
【請求項２３】
前記取得したシーケンス番号と前記予め受信したビーコンフレームのシーケンス番号とが一致しない場合に偽造アクセスポイントが検出される、請求項２２に記載の装置。
【請求項２４】
前記取得したシーケンス番号と前記予め受信したビーコンフレームのシーケンス番号とが連続でない場合に偽造アクセスポイントが検出される、請求項２３に記載の装置。
【請求項２５】
前記装置は、前記取得したビーコンフレームのシーケンス番号と前記予め受信したビーコンフレームのシーケンス番号とが一致した場合に、該予め受信したビーコンフレームのシーケンス番号を該取得したシーケンス番号に置き換えるように構成されている、請求項２２〜２４のいずれか一項に記載の装置。
【請求項２６】
前記受信したビーコンフレームは、媒体アクセス制御（ＭＡＣ）アドレスを含み、
前記予め受信したビーコンフレームのシーケンス番号は、該予め受信したビーコンフレームのＭＡＣアドレスに関連付けられており、
該検出器は、
該受信したビーコンフレームの送信側ＭＡＣアドレスを取得し、該取得したＭＡＣアドレスが該予め受信したビーコンフレームのシーケンス番号に関連付けられたＭＡＣアドレスと同一である場合に、該受信したビーコンフレームのシーケンス番号と該予め受信したビーコンフレームのシーケンス番号とを比較するように構成されている、請求項１８〜２５のいずれか一項に記載の装置。
【請求項２７】
前記検出器は、
第１の受信したビーコンフレームの送信側ＭＡＣアドレスを決定し、
該第１の受信したビーコンフレームを送信するために用いられるチャネル番号を決定し、
第２の受信したビーコンフレームの送信側ＭＡＣアドレスを決定し、
該第２の受信したビーコンフレームを送信するために用いられるチャネル番号を決定し、
該第１および第２の受信したビーコンフレームの送信側ＭＡＣアドレスが同一である場合に、該第１および第２のビーコンフレームを送信するために用いられる該決定されたチャネル番号を比較するように構成されている、請求項１８〜２８のいずれか一項に記載の装置。
【請求項２８】
前記決定されたチャネル番号が異なる場合に偽造アクセスポイントが検出される、請求項２７に記載の装置。
【請求項２９】
前記ビーコンフレームは、８０２．１１規格を用いて送信され、
前記決定されたチャンネル番号が異なり、かつ、該チャンネル番号が同一の８０２．１１規格内にある場合に、偽造アクセスポイントが検出される、請求項２７または２８に記載の装置。
【請求項３０】
前記８０２．１１規格は、８０２．１１ａ規格、または、８０２．１１ｂ規格である、請求項２９に記載の装置。
【請求項３１】
前記検出器は、開放型システム間相互接続（ＯＳＩ）モデルのネットワーク層より下位において前記ビーコンフレームを受信する、請求項１８〜３０のいずれか一項に記載の装置。
【請求項３２】
前記検出器は、前記無線ローカルエリアネットワークにおけるステーションである、請求項１８〜３１のいずれか一項に記載の装置。
【請求項３３】
無線ローカルエリアネットワークにおいて偽造アクセスポイントを検出するためのコンピュータ実行可能なコードを含むコンピュータ読み取り可能な格納媒体であって、該コードがコンピュータによって実行されると、該コードが請求項１〜１７のいずれか一項に記載のステップを該コンピュータに実行させる、格納媒体。